(57)【要約】【課題】軽量コンパクトでかさ張らず、リングサイズを正確に計測することが可能なリングゲージを提供する。【解決手段】枠体１１と、サイズの異なる複数のリング１２と、そのリング１２を枠体１１に連結させ、一体かつ平板状に保持するための連結部１３とから構成されるリングゲージ１であり、連結部１３がリング１２を容易に分離可能に保持する。また、リングゲージ１は、枠体１１に連結部１４により連結される、サイズの異なる複数の模擬石１５をさらに備える。【選択図】図１
0003149559.tif 000002
【実用新案登録請求の範囲】
【請求項１】
枠体と、
サイズの異なる複数のリングと、
該リングを前記枠体に連結させ、一体かつ平板状に保持するための連結部と、
から構成され、
前記リングを枠体に連結させる連結部が、前記リングを容易に分離可能に保持することを特徴とするリングゲージ。
【請求項２】
ジュエリーを模擬した形状を有する、サイズの異なる複数の模擬石をさらに備え、
該模擬石は、前記連結部により前記枠体に一体かつ平板状に保持され、容易に前記枠体から分離可能であることを特徴とする請求項１に記載のリングゲージ。
【考案の詳細な説明】
【技術分野】
【０００１】
本考案は、指に適合するリング（指輪）サイズを計測するためのリングゲージに関する。
【背景技術】
【０００２】
指輪を購入する際には、事前に試着をしてリングサイズが合うかどうか確認するのが通常である。しかし、例えばオンラインショッピングを利用するなど実際に試着することが不可能な場合は、指に適合するリングサイズを顧客側が自分で正確に計測する必要がある。
【０００３】
リングサイズを計測する手段としては、これまでに以下のようなものがあった。
（１）リングゲージ棒
リングサイズが目盛として刻まれた金属製のテーパ棒であり、手持ちの指輪を通すことによりリングサイズを計測する。
（２）結束型リングゲージ
複数のサイズの異なるリング（金属製、プラスチック製等）が束状に結束されたものであり、実際にリングを指に嵌めることでサイズを計測する。
（３）テンプレート型リングゲージ
各リングサイズの円周が描かれたテンプレート（紙製、プラスチック製等）を利用するものであり、手持ちの指輪をテンプレートの円上に載せたり、円の中を切り抜いて実際に指を挿入したりすることによりリングサイズを計測する。
（４）メジャー型リングゲージ
リングサイズの目盛が振られた紙等からなるメジャーを指に巻きつけ、リングサイズを計測する。
【０００４】
また、このほかに、糸等を指に巻き付けて印を付けることにより指の周長を計測し、この周長からリングサイズを割り出す方法等も知られている。
【考案の概要】
【考案が解決しようとする課題】
【０００５】
しかしながら、上記した従来のリングゲージには、以下のような問題があった。
【０００６】
まず、（１）のリングゲージ棒は高価であるとともに、重量が重く、輸送等にコストがかかる。（２）の結束型リングゲージもまた高価であり、さらに多数のリングを結束しているためかさ張るともに重量も重く、やはり輸送にコストがかかるという問題があった。
【０００７】
（３）のテンプレート型リングゲージは、かさ張ることはないが、テンプレートの穴に指を入れる場合は指を不自然に広げる必要があり、正確な計測を行うことは難しい。また、（１）のリングゲージ棒を用いる場合と、（３）のテンプレート型リングゲージの円と手持ちの指輪を比較して計測する場合とでは、手持ちの指輪がなければ計測は不可能である。
【０００８】
さらに、（４）のメジャー型リングゲージや糸等を指に巻き付ける方法では、指の最も太い部分を見極めてズレを起こさずに巻き付けることは非常に困難であった。
【０００９】
本考案は、上記状況に鑑みて、軽量コンパクトでかさ張らず、リングサイズを正確に計測することが可能なリングゲージを提供することを目的とする。
【課題を解決するための手段】
【００１０】
上記課題を解決するために、本考案は、枠体と、サイズの異なる複数のリングと、そのリングを前記枠体に連結させ、一体かつ平板状に保持するための連結部と、から構成され、前記リングを枠体に連結させる連結部が、前記リングを容易に分離可能に保持することを特徴とするリングゲージを提供する。
【００１１】
ここで、リングゲージは、ジュエリーを模擬した形状を有する、サイズの異なる複数の模擬石をさらに備え、この模擬石は、前記連結部により前記枠体に一体かつ平板状に保持され、容易に前記枠体から分離可能とする。
【考案の効果】
【００１２】
本考案のリングゲージによれば、樹脂成型により一体的に製造できるため、材料コスト、製造コストを低く抑えることができる。また、軽量で形状も略平板状のため、輸送コストも低く済む。さらに、リングは簡単に取り外しが可能で、実際の指輪と同様に自然な状態で指に嵌めることができるため、正確なリングサイズの計測が可能となる。
【図面の簡単な説明】
【００１３】
【図１】本考案の実施形態に係るリングゲージの正面図及び側面図である。
【図２】図１のａ−ａ線及びｂ−ｂ線断面図である。
【図３】本考案の実施形態に係るリングゲージのリングの斜視図である。
【図４】本考案の実施形態に係るリングゲージの模擬石の斜視図である。
【考案を実施するための形態】
【００１４】
以下、本考案の実施の形態について、図面を参照しながら詳細に説明する。
【００１５】
図１は、本考案の実施形態に係るリングゲージの模式図であり、図１（ａ）はその平面図、図１（ｂ）はその正面図である。また、図２は図１の断面図であり、図２（ａ）はａ−ａ線断面図、図２（ｂ）はｂ−ｂ線断面図である。図１に示すように、本考案のリングゲージ１は、枠体１１と、サイズの異なる複数のリング１２と、サイズの異なる複数の模擬石１５と、リング１２及び模擬石１５とを枠体１１に連結するための連結部１３、１４とを備えている。リングゲージ１は、全体が略平板状の形状を有しており、樹脂成型により合成樹脂から構成される。
【００１６】
複数のリング１２は、図３に示すように、リング本体１２Ａと、そのリング本体１２Ａのリングサイズを表示するサイズ表示部１２Ｂとから成る。枠体１１に各サイズが一つずつ、望ましくはサイズ順に配置されている構成であり、それぞれのリング１２は連結部１３により枠体１１に連結、固定されている。ここでは例として、一つのリング１２を二箇所の連結部１３で枠体１１に連結する構成としたが、連結部１３の個数や連結箇所等は適宜変更が可能である。枠体１１は、ここでは図１（ａ）に示すように、外枠１１Ａと内枠１１Ｂとから構成されている。
【００１７】
複数の模擬石１５は、図４に示すように、模擬石本体１５Ａと、その模擬石本体１５のサイズを表示するサイズ表示部１５Ｂとから成る。模擬石本体１５Ａは、リングサイズの計測とともに指輪の雰囲気をイメージ可能にするためのものであり、例えば、特定のジュエリーを特定のカットにした場合のカラット（質量）数に相当する、おおよその大きさを示すものであるのが好ましい。それぞれの模擬石１５は、連結部１４により枠体１１に連結、固定されている。
【００１８】
連結部１３、１４は、図２に示すように、枠体１１やリング１２、模擬石１５と比較して厚みが薄く、人為的な力を少々加えるだけで切断できる形状となっている。そのため、使用者はリング１２、模擬石１５を簡単に枠体１１から取り外すことができる。連結部１３、１４は、人が折り曲げやすいよう切れ込みの入った形状を有するのがより好適であるが、輸送中などの意図しない場面では切断されないようある程度の強度も備えている。
【００１９】
上記した本考案のリングゲージ１を用いてリングサイズを計測する際には、リング１２を連結部１３で切断して枠体１１から取り外し、指に嵌めて適合するサイズがどうか確認する。必要に応じて模擬石１５も連結部１４で切断して枠体１１から取り外し指に添えることにより、所望する指輪の雰囲気を模することが可能である。
【００２０】
このように、本考案のリングゲージによれば、樹脂成型により一体的に製造できるため、材料コスト、製造コストを低く抑えることができる。また、軽量で形状も略平板状のため、輸送コストも低く済む。さらに、リングは簡単に取り外しが可能で、実際の指輪と同様に自然な状態で指に嵌めることができるため、正確なリングサイズの計測が可能となる。
【００２１】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００２２】
本考案は、指に適合するリング（指輪）サイズを計測するためのリングゲージに関し、産業上の利用可能性を有する。
【符号の説明】
【００２３】
１      リングゲージ
１１    枠体
１１Ａ  外枠
１１Ｂ  内枠
１２    リング
１２Ａ  リング本体
１２Ｂ  サイズ表示部
１３    連結部
１４    連結部
１５    模擬石
１５Ａ  模擬石本体
１５Ｂ  サイズ表示部
【図１】
0003149559.tif 000003
【図２】
0003149559.tif 000004
【図３】
0003149559.tif 000005
【図４】
0003149559.tif 000006